(57)【特許請求の範囲】
【請求項１】
ベースプレートと、
該ベースプレート上に設けられた打面を構成するパッドと、
該パッドが打撃されたことを検出する前記ベースプレートと前記パッドとの間に配設されているパッドセンサと、
前記ベースプレートが支持される支持フレームとを備え、
前記ベースプレートの周縁がリング状に外側に突出されており、該ベースプレートの周縁が、前記支持フレームの内周面に形成されたリング状の溝内に挿着されている振動吸収部材で保持されることにより、前記ベースプレートが前記支持フレームに、上下方向および左右方向の振動を吸収するように支持されており、前記振動吸収部材の硬度が、前記パッドを叩いた際に前記パッドセンサから出力される打撃センシング信号の基本周波数より前記パッドの共振周波数が約１／２以下となる硬度とされていることを特徴とする電子打楽器。
【請求項２】
前記振動吸収部材が、スポンジ、ゴム、スプリングのいずれかとされていることを特徴とする請求項１記載の電子打楽器。
【請求項３】
前記パッドは、前記パッドの周側面から突出するように形成されている延伸部を有し、
該延伸部は、前記支持フレームの内周面に形成されたリング状の溝内に屈曲されて挿着されることで、前記振動吸収部材として機能することを特徴とする請求項１または２記載の電子打楽器。
【発明の詳細な説明】
【技術分野】
【０００１】
この発明は、パッドの打撃による振動を検出し、その検出信号に基づいて楽音を発生する電子ドラム等の電子打楽器に関する。
【背景技術】
【０００２】
従来の電子打楽器の一つとされる電子ドラムにおいては、パッドの打面を叩いた際に生じる振動を、パッドの下方に配設したセンサで検出し、その出力信号をトリガとして楽音の発音を指示してドラム音を発生するようにしている。従来の電子ドラム（特許文献１参照）は、硬質なゴムにより構成されている底の浅い皿の形をした本体と、本体の底部に鉄板によって構成されたベースプレートとを備え、本体とベースプレートは、ベースによって支持されている。打面とされるパッドラバーの内部に埋め込まれたパッドプレートは、ドーナツ状のクッション材を介してベースプレートによって支持されている。パッドプレートの裏面には、パッド用センサが固着されている。本体の周辺部内側には、リムプレートが埋め込まれており、リムプレートの内周にはリム用センサが固着されている。このように構成された電子ドラムにおいて、演奏者がパッドラバーを打撃すると、パッドプレートが振動してその振動がパッド用センサにより検出される。また、演奏者がリムショットを行う場合は、演奏者がリムを打撃することによりリムプレートが振動して、リム用センサによりその振動が検出される。ここで、パッドプレートはリムと直接接触しておらずパッドラバーを介して接触しており、パッドラバーはリムのゴムに比べて軟質なゴムから構成されるためリムからの振動を減衰させる。従ってリムプレートの振動はパッド用センサには伝わらない。パッド用センサおよびリム用センサは各々振動を電気信号として検出し、電気信号は電気回路を経てアンプ、スピーカ等によって電気的に増幅されて楽音として発音される。
【０００３】
また、従来の他の電子ドラム（特許文献２参照）は、打撃検出のためのセンサ部が配設されているセンサ支持体が、有膜弾性体と共にブリッジ体によってパッド体と結合されている。有膜弾性体は、弾性を有し振動を伝達しにくい合成樹脂（ポリプロピレン等）で円盤状に形成され、肉厚部から半径方向外側部分は厚み０．３ｍｍ程度の薄膜部となっている。薄膜部は発光ユニットのステイと上ケースとに挟まれるようにして固定される。非打撃時において、パッド体、センサ部、センサ支持体等が薄膜部だけを介して上ケースに結合され、上ケースに対して浮設された形となる。これにより、振動伝達に関し上ケースから独立した作用をする。すなわち、ケース体からの振動は薄膜部でほぼ遮断され、センサ部への振動伝達が効果的に抑えられるので、他パッドの打撃やケース体自身の打撃に起因する飛び付きが防止される。
【先行技術文献】
【特許文献】
【０００４】
【特許文献１】特開平６−１７５６５１号公報
【特許文献２】特開２００２−１６９５４６号公報
【発明の概要】
【発明が解決しようとする課題】
【０００５】
しかしながら、従来の電子ドラムにおいては、床等からベースに外乱となる振動が伝わった際に縦方向の振動についてはクッション材により振動を吸収することができるが、リムがパッドプレートの動きを制限していることから、横方向の振動を吸収することができず、横方向の振動をパッド用センサが検出してしまうという問題点があった。また、本体とリムとが一体とされていることから、ベースに外乱となる振動が伝わった際に、その振動をリム用センサが検出してしまうようになる。
また、従来の他の電子ドラムにおいては、床等からベースに外乱となる振動が伝わった際に縦方向の振動については薄膜部により振動を吸収することができるが、薄膜部は平面状に横方向に展伸されていることから、横方向の振動を吸収しにくく、横方向の振動をセンサ部が検出してしまうという問題点があった。
【０００６】
そこで、本発明は、支持フレームに外乱となる上下方向や左右方向の振動が伝わっても、センサが外乱となる振動を検知しないようにした電子打楽器を提供することを目的としている。
【課題を解決するための手段】
【０００７】
上記目的を達成するために、本発明の電子打楽器は、ベースプレートと、該ベースプレート上に設けられた打面を構成するパッドと、該パッドが打撃されたことを検出する前記ベースプレートと前記パッドとの間に配設されているパッドセンサと、前記ベースプレートが支持される支持フレームとを備え、前記ベースプレートの周縁がリング状に外側に突出されており、該ベースプレートの周縁が、前記支持フレームの内周面に形成されたリング状の溝内に挿着されている振動吸収部材で保持されることにより、前記ベースプレートが前記支持フレームに、上下方向および左右方向の振動を吸収するように支持されており、前記振動吸収部材の硬度が、前記パッドを叩いた際に前記パッドセンサから出力される打撃センシング信号の基本周波数より前記パッドの共振周波数が約１／２以下となる硬度とされていることを最も主要な特徴としている。
【発明の効果】
【０００８】
本発明によれば、パッドセンサがベースプレート上に設けられたパッドを備え、外側に突出されたベースプレートの周縁が、支持フレームの内周面に形成されたリング状の溝内に挿着されている振動吸収部材で保持されることから、床等から支持フレームに上下方向および左右方向の振動が伝わっても、上下方向および左右方向の振動が振動吸収部材で吸収されるようになり、センサはこの上下方向および左右方向の振動を検知しないようになる。この結果、センサの感度を向上しても雑音が出力されることを防止することができ、ダイナミックレンジを向上することができるようになる。
【図面の簡単な説明】
【０００９】
【図１】本発明の第１実施例にかかる電子ドラムの構成を示す平面図である。
【図２】本発明の第１実施例にかかる電子ドラムの構成を断面図で示す側面図である。
【図３】本発明の第１実施例にかかる電子ドラムの構成を示す下面図である。
【図４】本発明の第１実施例にかかる電子ドラムの構成を断面図で示す側面図の一部拡大図である。
【図５】本発明の第２実施例にかかる電子ドラムの構成を示す平面図である。
【図６】本発明の第２実施例にかかる電子ドラムの構成を断面図で示す側面図である。
【図７】本発明の第２実施例にかかる電子ドラムの構成を示す下面図である。
【図８】本発明の第２実施例にかかる電子ドラムの構成を断面図で示す側面図の一部拡大図である。
【図９】本発明の第３実施例にかかる電子ドラムの構成を断面図で示す側面図である。
【図１０】本発明の第２実施例の変形例の電子ドラムの構成を断面図で示す側面図の一部拡大図である。
【図１１】本発明の第１実施例にかかる電子ドラムにおいて他の構成の振動吸収部材を用いた構成を一部拡大した断面図で示す側面図である。
【図１２】本発明の第２実施例にかかる電子ドラムにおいて他の構成の振動吸収部材を用いた構成を一部拡大した断面図で示す側面図である。
【図１３】本発明の第３実施例にかかる電子ドラムにおいてバネの第１の構成例を一部拡大した断面図で示す側面図である。
【図１４】本発明の第３実施例にかかる電子ドラムにおいてバネの第２の構成例を一部拡大した断面図で示す側面図である。
【図１５】本発明の第３実施例にかかる電子ドラムにおいてバネの第３の構成例を一部拡大した断面図で示す側面図である。
【図１６】本発明の第３実施例にかかる電子ドラムにおいてバネの第４の構成例を一部拡大した断面図で示す側面図である。
【図１７】本発明の第１実施例にかかる電子ドラムの変形例の構成を断面図で示す側面図である。
【図１８】本発明の第１実施例にかかる電子ドラムの変形例の構成を断面図で示す下面図である。
【図１９】本発明の第１実施例にかかる電子ドラムの他の変形例の構成を一部拡大した断面図で示す側面図である。
【図２０】図１９に示す側面図を中心軸に対して約９０°回転して示す側面図である。
【発明を実施するための形態】
【００１０】
本発明の電子打楽器の第１実施例にかかる電子ドラムの構成を示す平面図を図１に、電子ドラムの構成を断面図で示す側面図を図２に、電子ドラムの構成を示す下面図を図３に、電子ドラムの構成を一部拡大した断面図で示す側面図を図４に示す。
これらの図に示す第１実施例の電子ドラム１においては、発泡性樹脂等により形成されている演奏者が叩く打面となる所定厚みとされているパッド１０が、膜状のパッドセンサ１２を介して、鉄等の平板状のベースプレート１４の表面に固着されている。ベースプレート１４は円形とされており、ベースプレート１４上に設けられるパッド１０も若干径が小さくされた断面円形とされている。パッド１０と略同形状とされているパッドセンサ１２は、電極が形成された樹脂フィルムを貼り合わせて形成された静電型の圧力センサ等から構成されている。また、ベースプレート１４の表面における周縁には円筒状のリム１１が、リムセンサ１３を介して固着されている。リム１１は円筒状の形状とされその内側にパッド１０が収納されるようになり、リム１１は金属製等とされる。さらに、リムセンサ１３の形状は、リム１１の下面の形状と略同じリング状とされ、電極が形成された樹脂フィルムを貼り合わせて形成された静電型の圧力センサ等から構成されている。
【００１１】
また、ベースプレート１４の下面の外周縁や外周縁より若干内側に複数のＺ型金具１８が取り付けられており、このＺ型金具１８によりそれぞれ振動吸収部材１７が抱持されている。図示する場合は、６個のＺ型金具１８が略６０°毎の間隔でベースプレート１４の下面に取り付けられているが、この数に限るものではなく少なくとも３個以上が取り付けられていればよい。振動吸収部材１７の厚み方向の中間部には、円筒状の形状とされている筐体１５の内周面に取り付けられているＬ型金具１６の先端が挿入されており、これにより、筐体１５の近傍に配置された振動吸収部材１７を介してベースプレート１４は筐体１５に支持されるようになる。筐体１５は金属製あるいは木製とされる支持フレームであり、振動吸収部材１７は、低硬度のスポンジやブチルシート等のゴムからなり、その硬度はＣ硬度で約５〜約２５とされ、好適には約１０〜約２０とされる。この場合、ベースプレート１４の下面に取り付けられているＺ型金具１８の数、すなわち、振動吸収部材１７の数が多くなるに応じて振動吸収部材１７の硬度を小さくする。この硬度は、パッド１０を演奏者が叩いた際にパッドセンサ１２から出力される打撃センシング信号の基本周波数よりパッド１０の共振周波数が低くなる硬度とされている。また、振動吸収部材１７をリング状に形成して、Ｚ型金具１８によりベースプレート１４の下面に取り付けるようにしてもよい。
【００１２】
このように構成された第１実施例の電子ドラム１において、演奏者がパッド１０の打面をスティック等で叩くと、パッド１０が打撃により凹んでパッドセンサ１２に打撃力に応じた圧力が印加される。この結果、パッドセンサ１２からは、打撃力に応じた打撃センシング信号が出力される。また、演奏者がリムショットを行う場合は、演奏者がリム１１を打撃することによりリム１１が振動して、リムセンサ１３によりその振動が検出される。そして、パッドセンサ１２およびリムセンサ１３から出力される打撃センシング信号をトリガとして、楽音の発音が指示されてドラムやリムショットの楽音が発生されるようになされている。
【００１３】
ところで、床を通じて筐体１５に振動が伝わることがある。特に、ドラムセットの場合には他のドラムを叩いた際の振動が床を通じて筐体１５に伝わるようになる。しかし、第１実施例の電子ドラム１においては、Ｌ型金具１６の先端は振動吸収部材１７に上下方向および左右方向において包被されていることから、筐体１５に伝わった振動が上下方向の振動であっても左右方向の振動であっても、振動吸収部材１７によりその振動が吸収されてベースプレート１４には伝わらないようになる。このため、外乱に強い電子ドラム１とすることができることから、パッドセンサ１２およびリムセンサ１３の感度を上げることができるようになり、ダイナミックレンジを向上することができるようになる。
【００１４】
次に、本発明の電子打楽器の第２実施例にかかる電子ドラムの構成を示す平面図を図５に、電子ドラムの構成を断面図で示す側面図を図６に、電子ドラムの構成を示す下面図を図７に、電子ドラムの構成を一部拡大した断面図で示す側面図を図８に示す。
これらの図に示す第２実施例の電子ドラム２においては、発泡性樹脂等により形成されている演奏者が叩く打面となる所定厚みとされているパッド２０が、膜状のパッドセンサ２２を介して、鉄等の平板状のベースプレート２４の表面に固着されている。ベースプレート２４は円形とされており、ベースプレート２４上に設けられるパッド２０も若干径が小さくされた断面円形とされている。パッド２０と略同形状とされているパッドセンサ２２は、電極が形成された樹脂フィルムを貼り合わせて形成された静電型の圧力センサ等から構成されている。また、ベースプレート２４の表面における周縁より若干内側には円筒状のリム２１が、リムセンサ２３を介して固着されている。リム２１は円筒状の形状とされその内側にパッド２０が収納されるようになり、リム２１は金属製等とされる。さらに、リムセンサ２３の形状は、リム２１の下面の形状と略同じリング状とされ、電極が形成された樹脂フィルムを貼り合わせて形成された静電型の圧力センサ等から構成されている。
【００１５】
また、ベースプレート２４の周縁はリム２１より外側にリング状に突出している。一方、円筒状の形状とされている筐体２５の内周面に形成されたリング状の溝内には複数の振動吸収部材２６が挿着されており、この振動吸収部材２６のそれぞれの厚み方向の中間部にベースプレート２４の突出された周縁が部分的に抱持されている。図示する場合は、６個の振動吸収部材２６が略６０°毎の間隔で筐体２５の溝内に挿着されているが、この数に限るものではなく少なくとも３個以上が挿着されていればよい。このように、筐体２５の内周壁に直接設けられた振動吸収部材２６を介してベースプレート２４は筐体２５に支持されるようになる。振動吸収部材２６は、低硬度のスポンジやブチルシート等のゴムからなり、その硬度はＣ硬度で約５〜約２５とされ、好適には約１０〜約２０とされる。この場合、筐体２５の溝内に挿着されている振動吸収部材２６の数が多くなるに応じて振動吸収部材２６の硬度を小さくする。この硬度は、パッド２０を演奏者が叩いた際にパッドセンサ２２から出力される打撃センシング信号の基本周波数よりパッド２０の共振周波数が低くなる硬度とされている。また、振動吸収部材２６をリング状に形成して、筐体２５の溝内に挿着するようにしてもよい。なお、筐体２５を本体２５ａと上部２５ｂとで構成するようにして、本体２５ａと上部２５ｂとの間で振動吸収部材２６を挟持するようにしても良い。
【００１６】
このように構成された第２実施例の電子ドラム２において、演奏者がパッド２０の打面をスティック等で叩くと、パッド２０が打撃により凹んでパッドセンサ２２に打撃力に応じた圧力が印加される。この結果、パッドセンサ２２からは、打撃力に応じた打撃センシング信号が出力される。また、演奏者がリムショットを行う場合は、演奏者がリム２１を打撃することによりリム２１が振動して、リムセンサ２３によりその振動が検出される。そして、パッドセンサ２２およびリムセンサ２３から出力される打撃センシング信号をトリガとして、楽音の発音が指示されてドラムやリムショットの楽音が発生されるようになされている。
【００１７】
ところで、床を通じて筐体２５に振動が伝わることがある。特に、ドラムセットの場合には他のドラムを叩いた際の振動が床を通じて筐体２５に伝わるようになる。しかし、第２実施例の電子ドラム２においては、ベースプレート２４の周縁は複数の振動吸収部材２６に上下方向および左右方向において包被されていることから、筐体２５に伝わった振動が上下方向の振動であっても左右方向の振動であっても、振動吸収部材２６によりその振動が吸収されてベースプレート２４には伝わらないようになる。このため、外乱に強い電子ドラム２とすることができることから、パッドセンサ２２およびリムセンサ２３の感度を上げることができるようになり、ダイナミックレンジを向上することができるようになる。
【００１８】
次に、本発明の電子打楽器の第３実施例にかかる電子ドラムの構成を断面図で示す側面図を図９に示す。
この図に示す第３実施例の電子ドラム３においては、発泡性樹脂等により形成されている演奏者が叩く所定厚みとされている打面となるパッド３０が、鉄等の平板状のベースプレート３２の表面に固着されている。ベースプレート３２は円形とされており、ベースプレート３２上に設けられるパッド３０も略同径の断面円形とされている。ベースプレート３２の裏面のほぼ中央にピエゾ型圧電センサ等からなるパッドセンサ３３が固着されている。また、円筒状の形状とされている筐体３１の内周面には複数のＬ型金具３５が取り付けられており、Ｌ型金具３５の上面にバネ３４の一端が固着されている。パッド３０が固着されているベースプレート３２は筐体３１の内側に配設されて、バネ３４の他端は、ベースプレート３２の裏面の周縁部に固着される。このように、バネ３４はベースプレート３２と筐体３１との間に振動吸収部材として配設されている。
【００１９】
バネ３４を支持しているＬ型金具３５は、例えば６個が略６０°毎の間隔で筐体３１の内周面に取り付けられているが、この数に限るものではなく少なくとも３個以上が取り付けられていればよい。筐体３１は金属製あるいは木製とされ、バネ３４のバネ定数は約０．２〜約２０［Ｎ／ｍｍ］とされ、好適には約１〜約１０［Ｎ／ｍｍ］とされる。この場合、バネ３４の数が多くなるに応じてバネ３４のバネ定数を小さくする。このバネ定数は、パッド３０を演奏者が叩いた際にパッドセンサ３３から出力される打撃センシング信号の基本周波数よりパッド３０の共振周波数が低くなるバネ定数とされている。
このように構成された第３実施例の電子ドラム３において、演奏者がパッド３０の打面をスティック等で叩くと、パッド３０が打撃により振動してパッドセンサ３３が振動を検出する。この結果、パッドセンサ３３からは、打撃力に応じた打撃センシング信号が出力される。そして、パッドセンサ３３から出力される打撃センシング信号をトリガとして、楽音の発音が指示されてドラムの楽音が発生されるようになされている。
【００２０】
次に、本発明の電子打楽器の第２実施例の変形例の電子ドラム４の構成を一部拡大した断面図で示す側面図を図１０に示す。以下に、第２実施例の電子ドラム２と異なる構成について説明し、共通する構成については前述の通りであるのでその説明は省略する。
図１０に示す第２実施例の変形例の電子ドラム４は、パッド４０を振動吸収部材として兼用している。所定厚みとされているパッド４０は、膜状のパッドセンサ２２を介して、ベースプレート２４の表面に固着されているが、周側面の下部から延伸部４０ａが複数突出するよう形成されている。この延伸部４０ａは、円筒状の形状とされているリム２１の下面に複数箇所形成された溝を通過して筐体２５の内周面に形成されたリング状の溝内に屈曲されて挿着されている。このリング状の溝内に挿着されている延伸部４０ａのそれぞれに、ベースプレート２４の突出された周縁が部分的に抱持されている。この場合、例えば６個の延伸部４０ａが略６０°毎の間隔でパッド４０の周側面の下部から突出して形成されて筐体２５の溝内に挿着されているが、この数に限るものではなく少なくとも３個以上が形成されて挿着されていればよい。なお、リム２１の下面に形成される複数の溝の位置と、周側面の下部から突出して形成されている延伸部４０ａの位置とが同じ位置になるようにされている。また、リム２１の下面において溝が形成されていない部位とベースプレート２４の間にはリムセンサ２３が設けられている。
【００２１】
ベースプレート２４は、延伸部４０ａを振動吸収部材として筐体２５に支持されるようになる。パッド４０は、低硬度スポンジ等の発泡性樹脂からなり、その硬度はＣ硬度で約５〜約２５とされ、好適には約１０〜約２０とされる。この場合、周側面の下部から突出して形成されている延伸部４０ａの数が多くなるに応じてパッド４０の硬度を小さくする。この硬度は、パッド４０を演奏者が叩いた際にパッドセンサ２２から出力される打撃センシング信号の基本周波数よりパッド４０の共振周波数が低くなる硬度とされている。このように構成された第２実施例の変形例の電子ドラム４においては、ベースプレート２４の周縁は複数の延伸部４０ａに上下方向および左右方向において包被されていることから、筐体２５に振動が伝わった際に上下方向の振動であっても左右方向の振動であっても、延伸部４０ａが振動吸収部材としてその振動を吸収してベースプレート２４には伝わらないようになる。このため、外乱に強い電子ドラム４とすることができることから、パッドセンサ２２およびリムセンサ２３の感度を上げることができるようになり、ダイナミックレンジを向上することができるようになる。
【００２２】
次に、本発明にかかる第１実施例ないし第３実施例の電子ドラムに用いられる振動吸収部材の他の構成の例を図１１ないし図１６に示す。
図１１は、本発明の電子打楽器の第１実施例にかかる電子ドラム１において他の振動吸収部材１７’を用いた構成を一部拡大した断面図で示す側面図を示している。図１１において、ベースプレート１４の下面の外側に複数のＺ型金具１８が取り付けられており、このＺ型金具１８によりそれぞれ振動吸収部材１７’が抱持されている。この振動吸収部材１７’は外殻がゴム製とされ内部が空洞とされており、その内部にエアあるいは液体が充填されている。振動吸収部材１７’の厚み方向の中間部には、筐体１５の内周面に取り付けられているＬ型金具１６の先端が挿入されており、これにより、ベースプレート１４は筐体１５に上下方向や左右方向の振動を吸収できるように振動吸収部材１７’により弾性的に支持されるようになる。他の構成は第１実施例における電子ドラム１と同様とされているので、その説明は省略する。
【００２３】
また、図１２は本発明の電子打楽器の第２実施例にかかる電子ドラム２において他の振動吸収部材２６’を用いた構成を一部拡大した断面図で示す側面図を示している。図１２において、ベースプレート２４の周縁はリム２１より外側にリング状に突出している。そして、筐体２５の内周面に形成されたリング状の溝内には複数の振動吸収部材２６’が挿着されており、この振動吸収部材２６’のそれぞれの厚み方向の中間部にベースプレート２４の突出された周縁が部分的に抱持されている。この振動吸収部材２６’は外殻がゴム製とされ内部が空洞とされており、その内部にエアあるいは液体が充填されていることから、ベースプレート２４は筐体２５に上下方向や左右方向の振動を吸収できるように振動吸収部材２６’により弾性的に支持されるようになる。他の構成は第２実施例における電子ドラム２と同様とされているので、その説明は省略する。
【００２４】
さらに、図１３は本発明の電子打楽器の第３実施例にかかる電子ドラムにおいてバネ３４の第１の構成例を一部拡大した断面図で示す側面図を示している。図１３において、筐体３１の内周面には複数のＬ型金具３５が取り付けられており、Ｌ型金具３５の上面に蛇腹３４−１の下端が固着され、蛇腹３４−１の上端は、パッド３０が表面に設けられているベースプレート３２の裏面の周縁部に固着されている。蛇腹３４−１の内部はエアで満たされており、ベースプレート３２は筐体３１に上下方向や左右方向の振動を吸収できるように蛇腹３４−１からなる振動吸収部材により弾性的に支持されるようになる。
さらに、図１４は本発明の電子打楽器の第３実施例にかかる電子ドラムにおいてバネ３４の第２の構成例を一部拡大した断面図で示す側面図を示している。図１４において、筐体３１の内周面には複数のＬ型金具３５が取り付けられており、Ｌ型金具３５の上面にコイルスプリング３４−２の下端が固着され、コイルスプリング３４−２の上端は、パッド３０が表面に設けられているベースプレート３２の裏面の周縁部に固着されている。これにより、ベースプレート３２は筐体３１に上下方向や左右方向の振動を吸収できるようにコイルスプリング３４−２からなる振動吸収部材により弾性的に支持されるようになる。
【００２５】
さらに、図１５は本発明の電子打楽器の第３実施例にかかる電子ドラムにおいてバネ３４の第３の構成例を一部拡大した断面図で示す側面図を示している。図１５において、筐体３１の内周面には複数の板バネ３４−３の一端が取り付けられており、板バネ３４−３の他端は、パッド３０が表面に設けられているベースプレート３２の裏面の周縁部に固着されている。板バネ３４−３の中間部は波形に繰り返し屈曲されており、ベースプレート３２は筐体３１に上下方向や左右方向の振動を吸収できるように板バネ３４−３からなる振動吸収部材により弾性的に支持されるようになる。
さらに、図１６は本発明の電子打楽器の第３実施例にかかる電子ドラムにおいてバネ３４の第４の構成例を一部拡大した断面図で示す側面図を示している。図１６において、パッド３０が表面に設けられているベースプレート３２の裏面の周縁部に複数の第１ピストンシリンダ５１のピストン部が固着されており、第１ピストンシリンダ５１のシリンダ部はベースプレート３２とほぼ平行に配設されたプレート５０の上面の周縁部に固着されている。また、筐体３１の内周面には複数の第２ピストンシリンダ５２のシリンダ部が固着されており、第２ピストンシリンダ５２のピストン部はプレート５０の周縁部に固着されている。これにより、ベースプレート３２は筐体３１に上下方向や左右方向の振動を吸収できるように第１ピストンシリンダ５１および第２ピストンシリンダ５２で構成されるピストンシリンダ３４−４からなる振動吸収部材により弾性的に支持されるようになる。
【００２６】
次に、本発明の電子打楽器の第１実施例にかかる電子ドラムの変形例の構成を断面図で示す側面図を図１７に、電子ドラムの変形例の構成を示す下面図を図１８に示す。これらの図に示す第１実施例にかかる変形例の電子ドラム１’においては、ベースプレート１４の下面の外周縁や外周縁より若干内側に複数のサドル金具１８’が取り付けられており、このサドル金具１８’によりそれぞれ振動吸収部材１７が抱持されている。図示する場合は、６個のサドル金具１８’が略６０°毎の間隔でベースプレート１４の下面に取り付けられているが、この数に限るものではなく少なくとも３個以上が取り付けられていればよい。振動吸収部材１７の厚み方向の中間部には、筐体１５の内周面に取り付けられているサドル金具１８’と同数のＬ型金具１６の先端がそれぞれ挿入されており、これにより、ベースプレート１４は筐体１５に上下方向や左右方向の振動を吸収できるように振動吸収部材１７により弾性的に支持されるようになる。他の構成は第１実施例にかかる電子ドラム１の構成と同様とされていることから、その説明は省略する。
【００２７】
次に、本発明の電子打楽器の第１実施例にかかる電子ドラムの他の変形例の構成を一部拡大した断面図で示す側面図を図１９に、図１９に示す側面図を中心軸に対して約９０°回転して示す側面図を図２０に示す。ただし、図２０においてはベースプレート１４上の構成は省略して示している。これらの図に示す第１実施例にかかる他の変形例の電子ドラム１”においては、筐体１５の内周面に例えば６個のＬ型金具１６”が取り付けられており、図２０に示すようにこのＬ型金具１６”の上部に形成されている断面ロ字状の部位により、それぞれ振動吸収部材１７が抱持されている。この場合、Ｌ型金具１６”が略６０°毎の間隔で筐体１５の内周面に取り付けられているが、この数に限るものではなく少なくとも３個以上が取り付けられていればよい。ベースプレート１４の下面の外周縁や外周縁より若干内側にＬ型金具１６”と同数のＺ型金具１８が取り付けられており、振動吸収部材１７の厚み方向の中間部にＺ型金具１８の先端が挿入されている。これにより、ベースプレート１４は筐体１５に上下方向や左右方向の振動を吸収できるように振動吸収部材１７により弾性的に支持されるようになる。他の構成は第１実施例にかかる電子ドラム１の構成と同様とされていることから、その説明は省略する。
【００２８】
以上説明した本発明の第１実施例ないし第３実施例にかかる電子ドラム（変形例も含む）においては、振動吸収部材によりベースプレートを支持フレームとされる筐体に弾性的に支持している。この場合において振動吸収部材のサスペンション剛性を変化させた際のパッドの共振周波数について具体例をあげて説明する。なお、本発明の第１実施例ないし第３実施例にかかる電子ドラムにおいて、パッドの質量Ｍは約３．５ｋｇｗとされており、このパッドを演奏者が叩いた際に出力される打撃センシング信号の基本周波数ｆ０は約１２２．５Ｈｚとなっている。
まず、振動吸収部材のサスペンション剛性Ｋを約７０ｋＮ／ｍに設定した時の共振周波数ｆ１を求めると、
ｆ１＝１／２π・√（Ｋ／Ｍ）≒２２．５Ｈｚ
となり、共振周波数ｆ１は基本周波数ｆ０より１／５以下のはるかに低い周波数となる。
【００２９】
また、振動吸収部材のサスペンション剛性Ｋを約５００ｋＮ／ｍに設定した際の共振周波数ｆ２を求めると、
ｆ２＝１／２π・√（Ｋ／Ｍ）≒６０Ｈｚ
となり、共振周波数ｆ２は基本周波数ｆ０より１／２以下のかなり低い周波数となる。
さらに、振動吸収部材のサスペンション剛性Ｋを約３０００ｋＮ／ｍに設定した際の共振周波数ｆ３を求めると。
ｆ３＝１／２π・√（Ｋ／Ｍ）≒１４７Ｈｚ
となり、共振周波数ｆ３は基本周波数ｆ０を超えてしまうようになる。このように、振動吸収部材のサスペンション剛性Ｋを約７０ｋＮ／ｍ程度に設定した場合に極めて低い良好な共振周波数が得られ、振動吸収部材のサスペンション剛性Ｋは約５００ｋＮ／ｍ以下に設定することで基本周波数ｆ０よりかなり低い良好な共振周波数とすることができることがわかる。このことから、振動吸収部材のサスペンション剛性Ｋを約５００ｋＮ／ｍ以下に設定することが好適となる。
【産業上の利用可能性】
【００３０】
以上の説明では電子ドラムについて説明したが本発明は電子ドラムに限るものではなく、シンバル等の電子打楽器にも適用することができる。また、本発明にかかる電子打楽器である電子ドラムでは、上下方向の振動や左右方向の振動を吸収するように、パッドが設けられているベースプレートは支持フレームとされる筐体に弾性的に支持されている。この弾性的な支持は、支持フレームから突設されている水平片（例えばＬ型金具の水平部）を、ベースプレートに保持金具（例えば、Ｚ型金具）で保持されている振動吸収部材に嵌挿することにより弾性的に支持されたり、ベースプレートから突設されている水平片（例えばＺ型金具の水平部）を、支持フレームに保持金具（例えば、Ｌ型金具）で保持されている振動吸収部材に嵌挿することにより弾性的に支持されている。この場合、振動吸収部材の厚み方向のほぼ中間部に水平片あるいはベースプレートの周縁部を位置させるのが好適とされる。また、本発明にかかる電子ドラムは、複数の電子ドラムを備えるドラムセットにおける各電子ドラムに適用したり、一つの筐体に複数の電子ドラムを搭載するマルチパッドの電子ドラムに適用することができる。
なお、本発明の電子ドラムにおいて、床から筐体を介して高い周波数の振動がベースプレートに伝わる場合があるが、この場合には筐体を懸架する懸架構造における機械的フィルタで除去することができる。
【符号の説明】
【００３１】
１  電子ドラム、２  電子ドラム、３  電子ドラム、４  電子ドラム、１０  パッド、１１  リム、１２  パッドセンサ、１３  リムセンサ、１４  ベースプレート、１５  筐体、１６，１６”  Ｌ型金具、１７，１７’  振動吸収部材、１８  Ｚ型金具、１８’  サドル金具、２０  パッド、２１  リム、２２  パッドセンサ、２３  リムセンサ、２４  ベースプレート、２５  筐体、２５ａ  本体、２５ｂ  上部、２６，２６’  振動吸収部材、３０  パッド、３１  筐体、３２  ベースプレート、３３  パッドセンサ、３４  バネ、３４−１  蛇腹、３４−２  コイルスプリング、３４−３  板バネ、３４−４  ピストンシリンダ、３５  Ｌ型金具、４０  パッド、４０ａ  延伸部、５０  プレート、５１  第１ピストンシリンダ、５２  第２ピストンシリンダ
【図１】
0005626297.tif 000002
【図２】
0005626297.tif 000003
【図３】
0005626297.tif 000004
【図４】
0005626297.tif 000005
【図５】
0005626297.tif 000006
【図６】
0005626297.tif 000007
【図７】
0005626297.tif 000008
【図８】
0005626297.tif 000009
【図９】
0005626297.tif 000010
【図１０】
0005626297.tif 000011
【図１１】
0005626297.tif 000012
【図１２】
0005626297.tif 000013
【図１３】
0005626297.tif 000014
【図１４】
0005626297.tif 000015
【図１５】
0005626297.tif 000016
【図１６】
0005626297.tif 000017
【図１７】
0005626297.tif 000018
【図１８】
0005626297.tif 000019
【図１９】
0005626297.tif 000020
【図２０】
0005626297.tif 000021